(57)【要約】本発明は、第１の錠１と、第２の錠２と、第２の錠２の解錠を防止する解錠防止手段２ａ，４と、第１の錠１の解錠動作に応じて、解錠防止手段２ａ，４による第２の錠２の解錠防止を解除する解錠防止解除手段７，８と、所定期間、第２の錠２の解錠防止を解除した状態を保持する解錠防止解除状態保持手段９，１０ａ，１０ｂ，１０ｃ，１２，５０とを具備することを特徴とする鍵システムである。
2002036912.tif 000002
【特許請求の範囲】
【請求項１】
第１の錠と、
第２の錠と、
前記第２の錠の解錠を防止する解錠防止手段と、
前記第１の錠の解錠動作に応じて、前記解錠防止手段による前記第２の錠の解錠防止を解除する解錠防止解除手段と、
所定期間、前記第２の錠の解錠防止を解除した状態を保持する解錠防止解除状態保持手段とを具備することを特徴とする鍵システム。
【請求項２】
前記解錠防止手段は、
前記第２の錠に形成された凹部と、
前記凹部に嵌め込まれることによって前記第２の錠の施錠位置から解錠位置への動きを固定するロック棒とによって構成されており、
前記解錠防止手段は、前記ロック棒を前記凹部に嵌め込むことによって、前記第２の錠の解錠を防止することを特徴とする請求の範囲第１項に記載の鍵システム。
【請求項３】
前記解錠防止解除手段は、
前記第１の錠の解錠動作により回転する回転軸と共に回転するカムローラと、
前記カムローラの回転に応じて駆動されるカム駆動部とによって構成されており、
前記解錠防止解除手段は、前記カム駆動部の駆動に応じて、前記カム駆動部に接続された前記ロック棒を前記凹部から外すことによって、前記第２の錠の解錠防止を解除することを特徴とする請求の範囲第２項に記載の鍵システム。
【請求項４】
前記解錠防止解除状態保持手段は、
前記第１の錠の施錠位置から解錠位置への動きに応じて巻き上げられるぜんまい機構と、
前記カム駆動部と係合する係合手段とによって構成され、
前記解錠防止解除状態保持手段において、前記第１の錠の解錠動作による前記第１の錠の施錠位置から解錠位置への動きに応じて、前記ぜんまい機構が巻き上げられ、前記係合手段が前記カム駆動部と係合することにより、前記第２の錠の解錠防止を解除した状態を保持し、
所定期間経過後、前記ぜんまい機構の動作に応じて前記係合手段と前記カム駆動部との係合が外れ、前記ロック棒が前記凹部に嵌め込まれることにより、前記第２の錠の解錠が防止されることを特徴とする請求の範囲第３項に記載の鍵システム。
【請求項５】
前記第１の錠及び前記第２の錠は、シリンダ錠であり、
前記第１の錠の鍵穴に物体が挿入されたことを検出する第１の検出手段と、
前記第１の錠の鍵穴の最深部に物体が到達したことを検出する第２の検出手段と、
前記第１の錠が解錠されたことを検出する第３の検出手段とを具備し、
前記解錠防止解除手段は、前記第１乃至第３の検出手段による検出結果に応じて、前記第２の錠の解錠防止を解除することを特徴とする請求の範囲第１項の鍵システム。
【請求項６】
前記第１の検出手段による検出結果に応じて、前記第１の錠の鍵穴内において発光する発光手段と、
前記第１の鍵の鍵穴を挟んで前記発光手段と対向配置されており、前記発光手段により発光された前記第１の錠の鍵穴内の光を検出する光検出手段とを具備し、
前記解錠防止解除手段は、前記光検出手段による検出結果に応じて、前記第２の錠の解錠防止を解除することを特徴とする請求の範囲第５項に記載の鍵システム。
【請求項７】
前記第１乃至第３の検出手段による検出結果に応じて、前記第１の錠の鍵穴内を遮蔽する遮蔽手段を具備することを特徴とする請求の範囲第５項に記載の鍵システム。
【請求項８】
前記解錠防止手段は、前記第２の錠の鍵穴への物体の挿入を防止する挿入防止部と、前記第２の錠のシリンダ枠の回転を防止する回転防止部とを具備し、
前記解錠防止解除手段は、前記挿入防止部と、前記回転防止部とを制御することによって、前記第２の錠の解錠防止を解除することを特徴とする請求の範囲第５項に記載の鍵システム。
【発明の詳細な説明】
技術分野
本発明は、車両、自動二輪車、自動販売機や建物の扉等に設けられ、不正解錠を防止する不正解錠防止用鍵システムに関する。
背景技術
従来、盗難・防犯対策として、指紋・声紋認識式、カード式、赤外線リモコン式等のようなコンピュータ制御を用いた鍵システムが開発されている。しかし、上述の鍵システムは、高価格であるため、一般的に盗難・防犯対策として使用されているのは、低価格なシリンダ錠（単体又は複数）である。
しかしながら、従来のシリンダ錠は、不正解錠用の特殊工具によって、合鍵を使うことなく容易に解錠されてしまうという問題点がある。また、従来のシリンダ錠は、その鍵穴を通じてこじ開けられたり破壊されたりすることによって、容易に不正解錠されてしまうという問題点もある。また、従来のシリンダ錠は、高度な技術からなる特殊工具を使って複製された合鍵を用いて不正解錠されてしまうという問題点もある。
そこで、本発明は、以上の点に鑑みてなされたもので、低価格な不正解錠防止用鍵システムを提供することを目的とする。
発明の開示
本発明に係る鍵システムは、第１の錠と、第２の錠と、第２の錠の解錠を防止する解錠防止手段と、第１の錠の解錠動作に応じて、解錠防止手段による第２の錠の解錠防止を解除する解錠防止解除手段と、所定期間、第２の錠の解錠防止を解除した状態を保持する解錠防止解除状態保持手段とを具備することを特徴とするものである。
この発明によれば、解錠防止解除状態保持手段により第２の錠の解錠防止が解除された状態が保持されている所定期間以外は、第２の錠を解錠することができないので、不正解錠者は、この所定期間内に二つの錠を解錠しなくてはならず、合鍵を使用しないで解錠することが困難になる。
また、上述の鍵システムにおいて、解錠防止手段が、第２の錠に形成された凹部と、凹部に嵌め込まれることによって第２の錠の施錠位置から解錠位置への動きを固定するロック棒とによって構成されており、前記解錠防止手段が、ロック棒を凹部に嵌め込むことによって、第２の錠の解錠を防止することが好ましい。
また、上述の鍵システムにおいて、解錠防止解除手段が、第１の錠の解錠動作により回転する回転軸と共に回転するカムローラと、カムローラの回転に応じて駆動されるカム駆動部とによって構成されており、解錠防止解除手段が、カム駆動部の駆動に応じて、カム駆動部に接続されたロック棒を凹部から外すことによって、第２の錠の解錠防止を解除することが好ましい。
また、上述の鍵システムにおいて、解錠防止解除状態保持手段が、第１の錠の施錠位置から解錠位置への動きに応じて巻き上げられるぜんまい機構と、カム駆動部と係合する係合手段とによって構成され、解錠防止解除状態保持手段において、第１の錠の解錠動作による第１の錠の施錠位置から解錠位置への動きに応じて、ぜんまい機構が巻き上げられ、係合手段がカム駆動部と係合することにより、第２の錠の解錠防止を解除した状態を保持し、所定期間経過後、ぜんまい機構の動作に応じて係合手段とカム駆動部との係合が外れ、ロック棒が凹部に嵌め込まれることにより、第２の錠の解錠が防止されることが好ましい。
また、上述の鍵システムにおいて、第１の錠及び第２の錠がシリンダ錠であり、第１の錠の鍵穴に物体が挿入されたことを検出する第１の検出手段と、第１の錠の鍵穴の最深部に物体が到達したことを検出する第２の検出手段と、第１の錠が解錠されたことを検出する第３の検出手段とを具備し、解錠防止解除手段が、第１乃至第３の検出手段による検出結果に応じて、第２の錠の解錠防止を解除することが好ましい。
この場合、解錠防止解除手段が、第２の検出手段の検出結果に応じて、第２の錠の解錠防止を解除するため、不正解錠者が、第１の錠の鍵穴の最深部に設けられた第２の検出手段を反応させたまま、すなわち、第１の錠の鍵穴の最深部に特殊工具等を固定したまま、第１の錠を解錠しなければならず、不正解錠が困難となる。
また、上述の鍵システムにおいて、第１の検出手段による検出結果に応じて、第１の錠の鍵穴内において発光する発光手段と、第１の鍵の鍵穴を挟んで発光手段と対向配置されており、発光手段により発光された第１の錠の鍵穴内の光を検出する光検出手段とを具備し、解錠防止解除手段が、光検出手段による検出結果に応じて、第２の錠の解錠防止を解除することが好ましい。
この場合、解錠防止解除手段が、光検出手段による検出結果に応じて、第２の錠の解錠防止を解除するため、鍵穴全体をすべて覆う特殊工具を用いなければならず、不正解錠が困難となる。これは、第１の錠用の鍵は、鍵穴前面を覆うが、特殊工具は、その特殊性から細く薄く作られるため、特殊工具は、鍵穴に差し込まれても横からの光の全てを遮光できないことを考慮したものである。
また、上述の鍵システムにおいて、前記第１乃至第３の検出手段による検出結果に応じて、前記第１の錠の鍵穴内を遮蔽する遮蔽手段を具備することが好ましい。
この場合、遮蔽手段が、第１乃至第３の検出手段による検出結果に応じて、第１の錠の鍵穴内を遮蔽するため、特殊工具を用いた合鍵の複製を防止すると共に、鍵穴を通じてこじ開けられたり破壊されたりすることを防止することが可能となる。
また、上述の鍵システムにおいて、解錠防止手段が、第２の錠の鍵穴への物体の挿入を防止する挿入防止部と、第２の錠のシリンダ枠の回転を防止する回転防止部とを具備し、解錠防止解除手段が、挿入防止部と、回転防止部とを制御することによって、第２の錠の解錠防止を解除することが好ましい。
この場合、挿入防止部と回転防止部とが連動するように構成されているため、挿入防止部が第２の錠の鍵穴への物体の挿入を拒否しており、回転防止部が第２の錠のシリンダ枠の回転を拒否している状態にある場合に、不正解錠者が、特殊工具等を用いて挿入防止部を無理やり開けることを困難にする。
発明を実施するための最良の形態
（実施形態１に係る鍵システムの構成）
本発明の実施形態について図面を参照しながら説明する。図１は、本実施形態に係る鍵システムの構成図である。
図１では、左側に建物、右側に建物の扉が描かれている。本実施形態に係る鍵システムは、建物の扉に設けられるものである。第１の錠（第１のかんぬき）１用の鍵を用いた第１の錠１の解錠動作に応じて、第１の錠１が、建物に設けられた凹部１Ａに嵌め込まれた状態である施錠位置から、建物に設けられた凹部１Ａから外れた状態である解錠位置に移動する。同様に、第２の錠２用の鍵を用いた第２の錠２の解錠動作に応じて、第２の錠２が、建物に設けられた凹部２Ａに嵌め込まれた状態である施錠位置から、建物に設けられた凹部２Ａから外れた状態である解錠位置に移動する。本実施形態に係る鍵システムは、第１の錠１を解錠した（第１の錠１を解錠位置に移動させた）後の所定期間内に第２の錠２を解錠する（第２の錠２を解錠位置に移動させる）ことにより、この建物の扉の開放を可能とするものである。
本実施形態に係る鍵システムは、第１の錠と、第２の錠と、第２の錠の解錠を防止する解錠防止手段と、第１の錠の解錠動作に応じて、解錠防止手段による前記第２の錠の解錠防止を解除する解錠防止解除手段と、所定期間、第２の錠の解錠防止を解除した状態を保持する解錠防止解除状態保持手段とを具備することを特徴とするものである。本実施形態に係る鍵システムは、具体的には、図１に示すように、第１の錠１と、第２の錠２と、ロック棒４と、カム駆動部７と、カムローラ８と、フック９と、ひげぜんまい１０ａと、てんぷ１０ｂと、ギア１０ｃと、スタートリセット機構５０と、引き外し歯車１２とによって構成される。
本実施形態に係る鍵システムにおいて、ロック棒４と第２の錠２に形成された凹部２ａが、解錠防止手段を構成し、カム駆動部７とカムローラ８が、解錠防止解除手段を構成し、フック９と引き外し歯車１２とひげぜんまい１０ａとてんぷ１０ｂとギア１０ｃとスタートリセット機構５０とが、解錠防止解除状態保持手段を構成する。ひげぜんまい１０ａ、とてんぷ１０ｂとギア１０ｃとが、ぜんまい機構を構成し、フック９が、係合手段を構成する。
第１の錠１に、引っ掛け部１ａと、回転軸３Ａ１と、連関部３Ａ２と、カムローラ８とが設けられている。引っ掛け部１ａは、第１の錠１の下側に設けられており、第１の錠１の右方向への運動（解錠動作、すなわち施錠位置から解錠位置への動き）に応じて、スタートリセット機構５０の周回部５０ｂを右方向に動かすものである。回転軸３Ａ１は、例えば第１の錠１の中央に設けられており、鍵穴（図示せず）に差し込まれた第１の錠１用の鍵（図示せず）を用いた解錠動作に連動して回転するものである。連関部３Ａ２は、回転軸３Ａ１に連結されており、回転軸３Ａ１の回転運動を、第１の錠１の左右方向への運動（施錠位置と解錠位置との間での運動）に変換するものである。カムローラ８は、回転軸３Ａ１に取り付けられており、回転軸３Ａ１に連動して回転するものである。また、カムローラ８は、所定位置でカム駆動部７と接触するように設置されており、カム駆動部７を点線状態と実線状態との間で回転させるものである。
第２の錠２には、回転軸３Ｂ１と、連関部３Ｂ２とが設けられている。また、第２の錠２には、第２の錠２が施錠位置にある場合にロック棒４が緩嵌される第１の凹部２ａと、第２の錠２が解錠位置にある場合にロック棒４が緩嵌される第２の凹部２ｂとが形成されている。ロック棒４が第２の凹部２ｂに緩嵌された状態であっても、第２の錠２を左方向に動かすことは可能である。回転軸３Ｂ１は、例えば第２の錠２の中央に設けられており、鍵穴（図示せず）に差し込まれた第２の錠２用の鍵（図示せず）を用いた解錠動作に連動して回転するものである。連関部３Ｂ２は、回転軸３Ｂ１に連結されており、回転軸３Ｂ１の回転運動を、第２の錠２の左右方向の運動に変換するものである。第１の錠１は、第２の錠２の上方に設けられている。
ロック棒４は、ワイヤ６を介してカム駆動部７の末端部７ｂに連結されており、カム駆動部７の動き（回転）に連動して上下方向に動き、第２の錠２が第１の凹部２ａに緩嵌された状態（実線状態）において、第２の錠２の右方向への動き（解錠動作、すなわち施錠位置から解錠位置への動き）を固定（抑止）するものである。ロック棒４は、スプリング部５に取り付けられている。ロック棒４は、点線状態ではスプリング部５から下方向に付勢する力を受けているため、カム駆動部７とフック９との係合が外れると、下方向に動き、第２の錠２の第１の凹部２ａに緩嵌される（実線状態になる）。
カム駆動部７は、末端部７ｂからワイヤ６を介してロック棒４に連結されており、点線状態と実線状態との間で、カムローラ８の回転に連動して、支軸７ａを中心に動くもの（回転するもの）である。カム駆動部７は、通常、実線状態にある。また、カム駆動部７は、点線状態になった場合に、フック９と係合するように設置される。カム駆動部７が点線状態となる場合、ロック棒４が点線状態となり、ロック棒４と第２の錠２の第１の凹部２ａとの緩嵌が外れ、第２の錠２が、右方向に動くことができるようになる。逆に、カム駆動部７が実線状態となる場合、ロック棒４が実線状態となり、ロック棒４と第２の錠２の第１の凹部２ａとが緩嵌され、第２の錠２が、右方向に動くことができなくなる。
フック９は、引き外し歯車１２に設けられたタイムセット用穴１２ａに差し込まれたほぞによって駆動される（蹴られる）ものであって、所定位置でカム駆動部７と係合するものである。引き外し歯車１２が反時計回りに回転し、フック９がほぞによって蹴られ、カム駆動部７とフック９との係合が外れる。
引き外し歯車１２には、タイムセット用穴１２が設けられており、引き外し歯車１２の回転軸は、ワイヤ６０を介してスタートリセット機構５０の周回部５０ｂに接続されている。また、引き外し歯車１２は、ギア１０ｃに接触している。スタートリセット機構５０の周回部５０ｂが右方向に動いた場合、引き外し歯車１２は、ワイヤ６０を介してその動力を受け、時計回りに回転し（初期状態からタイムセット状態に偏移する）、ギア１０ｃを反時計回りに回転させる。
また、引き外し歯車１２は、ギア１０ｃの時計回りの回転に応じて生成される回転力に応じて、反時計回りに回転する（タイムセット状態から初期状態に偏移する）。
タイムセット用穴１２は、ほぞを差し込むことができるように複数設けられている。ほぞを差し込むタイムセット用穴１２を変更することによって、タイムセット状態から、差し込まれたほぞがフック９を蹴る（すなわち、カム駆動部７とフック９との係合が外れる）までの時間を調整することができる。
ひげぜんまい１０ａは、ギア１０ｃの回転軸に接続されており、周回部５０ｂの右方向への動きに応じた引き外し歯車１２及びギア１０ｃの回転によって巻き上げられるものである。また、ひげぜんまい１０ａは、巻き上げられた状態から初期状態に戻る際に、ギア１０ｃを時計回りに回転させるものである。ひげぜんまい１０ａの代わりに他のぜんまい機構を用いてもよい。
てんぷ１０ｂは、ギア１０ｃに接続されており、空気抵抗等によってギア１０ｃの回転速度を調整するものである。
ギア１０ｃは、引き外し歯車１２に接触しており、ひげぜんまい１０ａによって生成された時計回りの回転力を、引き外し歯車１２に伝えるものである。また、ギア１０は、引き外し歯車１２の時計回りの回転に応じて反時計回りに回転し、ひげぜんまい１０ａを巻き上げるものである。
スタートリセット機構５０は、周回用通路５０ａと周回部５０ｂとによって構成されている。
周回部５０ｂは、周回用通路５０ａ内に設けられている。周回部５０ｂは、初期状態では、図１に示すように周回用通路５０ａ内の左上にある（実線状態）。そして、周回部５０ｂは、第１の錠１の施錠動作の際に、初期状態から、引っ掛け部１ａによって周回用通路５０ａの上側を通って右方向に動かされ、タイムセット状態になる（点線状態）。
その後、引き外し歯車１２がタイムセット状態から初期状態に戻る際に、周回部５０ｂは、引き外し歯車１２の回転により生成された回転力をワイヤ６０を通じて受け、周回用通路５０ａの下側を通って初期状態に戻る。
（実施形態１に係る鍵システムの動作）
上記構成を有する鍵システムの動作を以下に説明する。図２は、建物の扉に設けられた本実施形態に係る鍵システムを解錠する手順を示すフローチャート図である。
図２に示すように、ステップ１０１において、建物の扉に設けられた第１の錠１用の鍵（第１の鍵）を有する者が、この第１の錠１の鍵穴（図示せず）に第１の鍵を差し込み、回転軸３Ａ１を時計回りに回転させる。
ステップ１０２において、回転軸３Ａ１の回転に連動して、カムローラ８が、時計回りに回転し、カム駆動部７と接触し、カム駆動部７を実線状態から点線状態に変化させる。そして、カム駆動部７とフック９とが係合する。
ステップ１０３において、カム駆動部７の末端部７ｂが上方向に動くことによって、ワイヤ６を介してロック棒４に上方向の力が加わり、ロック棒４が、上方向に動き（シフトし）、第２の錠２の第１の凹部２ａから外れる。
一方、ステップ１０４において、第１の錠１が、回転軸３Ａ１の回転に連動して、右方向に動く。
ステップ１０５ａにおいて、第１の錠１の右方向への動きに応じて、周回部５０ｂが、周回用通路５０ａの上側で右方向に動くことによって、初期状態からタイムセット状態に偏移し、スタートリセット機構５０が、初期状態からタイムセット状態に偏移する。
また、ステップ１０５ａにおいて、周回部５０ｂの右方向への動きに応じて、引き外し歯車１２が、時計回りに回転し、初期状態からタイムセット状態に偏移する。
ステップ１０５ｂにおいて、引き外し歯車１２の時計回りの回転に応じて、ギア１０ｃが、反時計回りに回転しひげぜんまい１０ａを巻き上げる。
ステップ１０６において、ひげぜんまい１０ａにより生成された回転力に応じたギア１０ｃの時計回りの回転に応じて、ギア１０ｃに接触する引き外し歯車１２が、反時計回りに回転する。
ステップ１０７において、引き外し歯車１２の反時計回りの回転に応じて、周回部５０ｂが、周回用通路５０ａの下側で左方向に動かされ、初期状態に戻る。
この状態において所定期間が経過したか否かで、第２の錠２を右方向に動かすことができるか否か、すなわち、第２の錠２を解錠することができるか否かが決定される（ステップ１０８）。ここで、所定期間とは、カム駆動部７とフック９とが係合した時点から、ギア１０ｃが時計回りに回転し、引き外し歯車１２が反時計回りに回転した結果、タイムセット用穴１２ａに差し込まれたほぞがフック９を蹴り、カム駆動部７とフック９との係合が外れ、カム駆動部７が実線状態に戻り、ロック棒４が、再度、第２の錠２の第１の凹部２ａに緩嵌される時点までの期間をいう。
所定期間が経過する前であれば、ロック棒４が第２の錠２の第１の凹部２ａから外れた状態であるため、ステップ１０９において、建物の扉に設けられた第２の錠２用の鍵（第２の鍵）を有する者が、第２の錠２の鍵穴（図示せず）に第２の鍵を差し込み、回転軸３Ｂ１を回転することによって、この第２の錠２を右方向に動かし、この建物の扉を解錠する（正常終了）。
逆に、所定期間が経過した後になると、ステップ１１０において、カム駆動部７とフック９との係合が外れ、ロック棒４が、再度、第２の錠２の第１の凹部２ａに緩嵌された状態になっているため、第２の錠２用の鍵（第２の鍵）を有する者が、第２の錠２の鍵穴に第２の鍵を差し込んでも、この第２の錠２を右方向に動かすことができず、この建物の扉を解錠することができない（ステップ１１０の異常終了）。
図３は、上記構成を有する鍵システムの動作を示すタイムチャート図である。図３に示すように、建物の扉に設けられた第１の錠１用の鍵を有する者が、第１の錠１の鍵穴にこの鍵を差し込む時点（図２のステップ１０１）から、ロック棒４が上方向にシフトし第２の錠２の第１の凹部２ａから外れる時点（図２のステップ１０３）までに、すなわち「キー開動作」にｎ１秒掛かっている。
第１の錠１の「キー開動作」終了後の所定期間（ｔ１秒）は、ロック棒４が第２の錠２の第１の凹部２ａから外れているため、第２の錠２を右方向に動かすこと、すなわち、第２の錠２を解錠することが可能である。つまり第１の錠１の「キー開動作」の終了によって、第２の錠２を解錠することが可能な期間（ｔ１秒）が開始される（「タイムセット」状態となる）。
図３では、第２の錠２用の鍵を有する者は、ｎ２秒の時点で、第２の錠２を解錠している。ここで、（ｔ１秒＋ｎ１秒）＞＝ｎ２秒である。すなわち、第２の錠２の「キー開動作］に（ｎ２−ｎ１）秒掛かっている。
上述の所定期間以外（ｎ１秒と（ｎ１＋ｔ１）秒の間のｔ１秒間以外）は、第２の錠２用の鍵を有する者であっても、第２の錠２を解錠することができない。ｔ＜＝ｎ１秒では、第１の錠１がまだ解錠されておらず、第２の錠２を解錠することができず（「ロック」状態）、ｔ＞＝ｎ２秒では、所定期間（ｔ１秒）が経過しているため、第１の錠１が再度解錠されていない状態となり、第２の錠２を解錠することができない（「タイムオーバーロック」状態）。
したがって、ｎ２秒の時点で、第１の錠１及び第２の錠２の双方を解錠することに成功し（「正常開動作」）、建物の扉を開放することが可能となる。
（実施形態１に係る鍵システムの作用・効果）
本実施形態に係る鍵システムによれば、カム駆動部７とフック９との係合により第２の錠２の解錠防止が解除された状態が保持されている所定期間（「タイムセット」期間のｔ１秒間）以外は、第２の錠を解錠することができないので、不正解錠者は、所定期間内に、第１の錠１と第２の錠２とを解錠しなくてはならず、合鍵を使用しないで解錠することが困難になる。
（実施形態２に係る鍵システムの構成）
本発明の実施形態について図４乃至図６を参照しながら説明する。本実施形態に係る鍵システムは、車両等に設けられるものであって、第１のシリンダ錠１を解錠した後の所定期間内に第２のシリンダ錠２を解錠することにより、この車両のエンジンの起動を可能とするものである。また、本実施形態に係る鍵システムは、合鍵以外の特殊工具等による解錠を防止し、合鍵の複製を防止するものである。
本実施形態に係る鍵システムは、第１の錠と、第２の錠と、第２の錠の解錠を防止する解錠防止手段と、第１の錠の解錠動作に応じて、解錠防止手段による第２の錠の解錠防止を解除する解錠防止解除手段と、所定期間、第２の錠の解錠防止を解除した状態を保持する解錠防止解除状態保持手段と、第１の錠の鍵穴に物体が挿入されたことを検出する第１の検出手段と、第１の錠の鍵穴の最深部に物体が到達したことを検出する第２の検出手段と、第１の錠が解錠されたことを検出する第３の検出手段と、第１の検出手段による検出結果に応じて、第１の錠の鍵穴内において発光する発光手段と、第１の鍵の鍵穴を挟んで発光手段と対向配置されており発光手段により発光された第１の錠の鍵穴内の光を検出する光検出手段と、第１乃至第３の検出手段による検出結果に応じて、第１の錠の鍵穴内を遮蔽する遮蔽手段とを具備する。
本実施形態に係る鍵システムは、具体的には、図４乃至図６に示すように、第１のシリンダ錠１と、第２のシリンダ錠２と、制御部１３とによって構成されている。本実施形態において、制御部１３が、解錠防止手段と解錠防止解除手段と解錠防止解除状態保持手段として機能する。
図４は、本実施形態に係る鍵システムの構成図である。図５は、第１のシリンダ錠１のＡ−Ａ断面（横断面）を示し、図６は、第１のシリンダ錠１のＺ−Ｚ断面（縦断面）を示す。
第１のシリンダ錠１は、図４乃至６に示すように、外筒２４Ａと、外筒２４Ａ内へ回転可能に嵌合されたシリンダ枠２５Ａとによって構成されている。また、第１のシリンダ錠１には、図４乃至６に示すように、鍵検出機構１５と、鍵検出スイッチ１６と、受光部１７と、発光部１８と、複製防止ロッド１９と、複製防止ロック機構２０と、回転検出スイッチ２１と、鍵到達検出機構２２と、鍵到達検出スイッチ２３と、ピン２６と、スプリング２７と、カム２８とが設けられている。
シリンダ枠２５Ａには、第１のシリンダ錠１用の鍵を差し込むための鍵穴３０Ａが形成されており、この鍵穴３０Ａの鍵差込口付近に鍵扉３Ａが設けられている。鍵扉３Ａは、鍵穴３０Ａに差し込まれた第１のシリンダ錠１用の鍵やピッキング用の特殊工具等によって、鍵穴３０Ａの内部方向に押し込まれ、鍵検出機構１５と接触するように設けられている。シリンダ枠２５Ａは、鍵穴３０Ａに差し込まれた第１のシリンダ錠１用の鍵と共に回転するものである。本実施形態では、シリンダ枠２５Ａの回転可能な範囲は、シリンダ枠２５Ａに形成された鍵穴３０Ａが垂直である状態（以下、垂直状態という）と垂直状態から反時計回りに４５°回転した状態との間の範囲である。シリンダ枠２５Ａが垂直状態から反時計回りに４５°回転した状態になると、第１のシリンダ錠１は解錠される。
鍵検出機構１５は、外筒２４Ａとシリンダ枠２５Ａとにより形成される同心円の水平半径方向に沿って設けられており、一方が上述の同心円の中心付近まで延びており、他方が鍵検出スイッチ１６に接続されている。鍵検出機構１５は、鍵穴３０Ａに差し込まれた第１のシリンダ錠１用の鍵やピッキング用の特殊工具等の物体によって内部に押し込まれた鍵扉３Ａと接触した場合に「ＯＮ」となるものである。鍵検出機構１５は、例えば、鍵扉３Ａとの接触状態に応じて「ＯＮ」「ＯＦＦ」が切り換わる機械式リレーによって構成されている。
鍵検出スイッチ１６は、鍵検出機構１５と制御部１３とに接続されており、鍵検出機構１５が「ＯＮ」になったことを検出した場合、鍵検出スイッチ１６のＬＳ１を「ＯＮ」にすることによって、その旨を制御部１３に通知するものである。鍵検出スイッチ１６は、鍵検出機構１５と共に、本発明に係る鍵システムにおける第１の検出手段を構成する。
受光部１７及び発光部１８は、外筒２４Ａとシリンダ枠２５Ａとにより形成される同心円の中心に対して対向配置に設けられる。また、受光部１７及び発光部１８は、外筒２４Ａの一部に設けられている。発光部１８は、制御部１３の指示に従って、鍵穴３０Ａ内において発光するものであり、例えばＬＥＤによって構成されている。受光部１７は、発光部１８により発光された光を鍵穴３０Ａにおいて検出した場合、その旨を制御部１３に通知するものであり、例えば光検出器によって構成されている。発光部１８で発光した光が遮断されることなく受光部１７に到達するように、第１のシリンダ錠１の内部には、受光部１７と発光部１８との間で円筒状にくりぬかれた形状の光導孔が設けられている。したがって、鍵穴３０Ａに第１のシリンダ錠１用の鍵が差し込まれていない場合、発光部１８で発光した光は、上述の円筒状の部分及び鍵穴３０Ａを介して、受光部１７に到達する。発光部１８は、本発明に係る鍵システムにおける発光手段を構成し、受光部１７は、本発明に係る鍵システムにおける光検出手段を構成する。
複製防止ロッド１９ａ、１９ｂは、複製防止ロック機構２０の指示に応じて、上下方向に動くことによって、シリンダ枠２５Ａの回転の可否を制御し、第１のシリンダ錠１を不正に複製するための特殊工具の動きを抑止するものである。
複製防止ロッド１９ａ、１９ｂは、鍵穴３０Ａと同じ幅で、外筒２４Ａとシリンダ枠２５Ａとにより形成される同心円の垂直半径方向に外筒２４Ａ及びシリンダ枠２５Ａを貫通するように設けられた円筒状の通路内を、上下方向に動く。通常、複製防止ロッド１９ａ、１９ｂの先端が、外筒２４Ａ内にあるため、シリンダ枠２５Ａは、複製防止ロッド１９ａ、１９ｂによって回転を抑止されることなく、自由に回転することができる。
複製防止ロッド１９ａ、１９ｂは、高度な技術による特殊工具を用いた合鍵の複製を防止すると共に、鍵穴３０Ａを通じてこじ開けられたり破壊されたりすることを防止するために、鍵穴３０Ａの遮蔽と、鍵穴３０Ａ内の特殊工具の強制排除とを行うことを目的とするものである。このため、複製防止ロッド１９ａ、１９ｂは、ドライバ等によりこじ開けられること及びドリル等により破壊されることにも対応できるように、硬度の高い金属等によって構成される。
複製防止ロッド１９ａは、上述の通路内の上側に設けられており、複製防止ロッド１９ｂは、上述の通路内の下側に設けられている。複製防止ロッド１９ａは、複製防止ロック機構２０ａに接続されており、複製防止ロッド１９ｂは、複製防止ロック機構２０ｂに接続されている。図５に示すように、複製防止ロッド１９ａ、１９ｂは、先端が平坦でない形状（例えば突起状）になっているため、先端が平坦な形状の複製防止ロッドと比較して、上述の特殊工具の動きを止め易くなる。
複製防止ロック機構２０ａは、複製防止ロッド１９ａと制御部１３とに接続されている。複製防止ロック機構２０ｂは、複製防止ロッド１９ｂと制御部１３とに接続されている。複製防止ロック機構２０ａ、２０ｂは、制御部１３の指示に応じて協働することによって、複製防止ロッド１９ａ、１９ｂの上下方向の動きを制御するものである。すなわち、複製防止ロック機構２０ａは、複製防止ロッド１９ａ、１９ｂを制御することによって、本発明に係る鍵システムにおける遮蔽手段を構成する。
複製防止ロック機構２０ａ、２０ｂは、ソレノイドを介して外筒２４Ａに接続されている。複製防止ロック機構２０ａ、２０ｂは、制御部１３によって直流電圧が付加された場合、ソレノイドの作用によって、複製防止ロッド１９ａ、１９ｂを上述のソレノイドを収縮する方向に動かす、すなわち、複製防止ロッド１９ａを下方向に、複製防止ロッド１９ｂを上方向に動かす。
カム２８は、シリンダ枠２５Ａの外周に設けられており、シリンダ枠２５Ａの回転と連動して回転するものである。カム２８は、発光部１８から受光部１７への光の漏洩を防止するため、シリンダ枠２５Ａが垂直状態から反時計回りに４５°回転した状態で、回転検出スイッチ２１に接触するように設けられている。
回転検出スイッチ２１は、制御部１３に接続されており、カム２８と接触することにより、シリンダ枠２５Ａが垂直状態から反時計回りに４５°回転したことを検出した場合、すなわち、第１のシリンダ錠１が解錠されたことを検出した場合、回転検出スイッチ２１のＬＳ３を「ＯＮ」にすることによって、その旨を制御部１３に通知するものである。回転検出スイッチ２１は、本発明に係る鍵システムにおける第３の検出手段を構成する。
鍵到達検出機構２２は、鍵穴３０Ａの終端部（最深部）で、外筒２４Ａとシリンダ枠２５Ａとにより形成される同心円の中心の位置に設けられている。鍵到達検出機構２２は、第１のシリンダ錠１用の鍵（物体）が鍵穴３０Ａの終端部まで差し込まれた場合に、この鍵と接触し「ＯＮ」となるものである。
鍵到達検出スイッチ２３は、鍵到達検出機構２２と制御部１３とに接続されており、鍵到達検出機構２２が「ＯＮ」になったことを検出した場合、鍵到達検出スイッチ２３のＬＳ２を「ＯＮ」にすることによって、その旨を制御部１３に通知するものである。鍵到達検出スイッチ２３は、鍵到達検出機構２２と共に、本発明に係る鍵システムにおける第２の検出手段を構成する。
ピン２６及びスプリング２７は、外筒２４Ａに複数設けられたピン嵌合穴に収納されている。ピン２６は、二つの部分から構成され、それぞれの部分は、連結部を介して連結されている。ピン２６は、スプリング２７の伸縮作用によって、外筒２４Ａとシリンダ枠２５Ａとにより形成される同心円の半径方向に動く。全てのピン２６の連結部がシリンダ枠２５Ａと外筒２５Ａの境界線上にある状態で、シリンダ枠２５Ａの回転は許容され、それ以外の状態で、シリンダ枠２５Ａの回転は抑止される。
第２のシリンダ錠２本体は、図４に示すように、外筒２４Ｂと、外筒２４Ｂ内へ回転可能に嵌合されたシリンダ枠２５Ｂとから構成されている。シリンダ枠２５Ｂの内部には、第２のシリンダ錠２用の鍵を差し込むための鍵穴（図示せず）が形成されている。第２のシリンダ錠２には、従来のシリンダ錠の構成要素に加えて、ロック機構３１と、挿入防止ロッド３２と、回転防止ロッド３３とが設けられている。
挿入防止ロッド３２は、ロック機構３１に接続されており、外筒２４Ｂとシリンダ枠２５Ｂとにより形成される同心円の水平半径方向に沿って設けられている。挿入防止ロッド３２は、ロック機構３１の指示に応じて、上述の水平半径方向に沿って動き、鍵穴３Ｂへの物体（第２のシリンダ錠２用の鍵）の挿入防止するものである。挿入防止ロッド３２は、本発明に係る鍵システムの挿入防止部を構成する。
回転防止ロッド３３は、シリンダ枠２５Ｂに設けられた凹部に嵌合されており、ロック機構３１の指示に従って、シリンダ枠２５Ｂの回転を防止するものである。回転防止ロッド３３は、本発明に係る鍵システムの回転防止部を構成する。
挿入防止ロッド３２は、高度な技術による特殊工具を用いた合鍵の複製を防止すると共に、鍵穴３Ｂを通じてこじ開けられたり破壊されたりすることを防止するために、鍵穴３Ｂの遮断を行うことを目的とするものである。このため、挿入防止ロッド３２は、ドライバ等によりこじ開けられること及びドリル等により破壊されることにも対応できるように、硬度の高い金属等によって構成される。
挿入防止ロッド３２と回転防止ロッド３３とは、連関棒３４によって連関されているため、挿入防止ロッド３２と回転防止ロッド３３の双方が第２のシリンダ錠２をロックした状態にある場合に、不正解錠者が、特殊工具等を用いて挿入防止ロッド３２を無理やり開けることを困難にする。
ロック機構３１は、挿入防止ロッド３２と回転防止ロッド３３と制御部１３とに接続されており、制御部１３の指示に従って、挿入防止ロッド３２及び回転防止ロッド３３の動きを制御するものである。ロック機構３１は、制御部１３によって直流電圧が付加された場合、ソレノイドの作用によって、挿入防止ロッド３２と回転防止ロッド３３を上述のソレノイドを収縮する方向に動かす、すなわち、挿入防止ロッド３２及び回転防止ロッド３３による第２のシリンダ錠のロックを開放する。
制御部１３は、鍵検出スイッチ１６と、受光部１７と、発光部１８と、複製防止ロック機構２０と、回転検出スイッチ２１と、鍵到達検出スイッチ２３とに接続されており、これらとの間で信号の送受信を行うものである。
制御部１３は、ロック機構３１と共に、本発明に係る鍵システムにおける解錠防止手段と解錠防止解除手段と解錠防止解除状態保持手段とを構成する。
（実施形態２に係る鍵システムの動作）
上記構成を有する鍵システムの動作について、本実施形態に係る鍵システムの制御部１３の回路構成とともに説明する。図７は、上記構成を有する鍵システムの動作について示すフローチャート図である。
図８は、本実施形態に係る鍵システムの制御用回路の構成図であり、具体的には、バッテリ回路と、非常電源回路と、検出安定タイマ回路と、発光回路と、異常検出回路と、正常保持回路と、不正解錠防止タイマ回路と、挿入防止ロッド回路と、回転防止ロッド回路と、正常リセットタイマ回路と、異常リセットタイマ回路と、異常保持回路、複製防止ロッド回路とによって構成されている。検出安定タイマＴ１、不正解錠防止タイマＴ２、正常リセットタイマＴ３及び異常リセットタイマＴ４は、簡易電子タイマによって構成される。
本実施形態に係る鍵システムの制御用回路の電源は、通常は車両に設けられたバッテリ回路を利用するが、バッテリ回路が不良となった場合やメンテナンス時にバッテリ回路が外された場合等に、本実施形態に係る鍵システムが動作しなくなることを防ぐために、非常電源回路として乾電池等の別電源を用意し、切り換えスイッチＳによってバッテリ回路と非常電源回路とを切り換える。本実施形態に係る鍵システムが動作していない場合、この制御用回路は、電力を消費しない。
図７に示すように、ステップ２０１において、第１のシリンダ錠１の鍵穴３０Ａに第１のシリンダ錠１用の鍵を差し込むと、鍵扉３Ａが内部方向に押し込まれ、鍵検出機構１５が「ＯＮ」となる。その結果、鍵検出スイッチ１６のＬＳ１が「ＯＮ」となる（接点を閉じる）。
ステップ２０２において、鍵検出スイッチ１６のＬＳ１が「ＯＮ」となると、検出安定タイマ回路において、バッテリ回路又は非常電源回路からの直流電流が流れる。その結果、所定期間経過後（例えば１秒後）に、検出安定タイマＴ１がセットされ、検出安定タイマ用リレー（随時動作・瞬時復帰回路）Ｔ１が「ＯＮ」になる（接点を閉じる）。その結果、発光回路において上述の直流電流が流れ、発光部１８のＬＥＤが発光する。
ステップ２０３において、受光部１７のフォトトランジスタＰＴＲが、発光部１８のＬＥＤの光を受光した場合、異常検出回路において上述の直流電流が流れ、正常保持回路において異常検出リレーＲ２が「ＯＮ」となる（接点を開放する）。その結果、正常保持回路に上述の直流電流が流れなくなる。また、異常保持回路及び異常リセットタイマ回路に接続された異常検出リレーＲ２が「ＯＮ」となり（接点を閉じ）、異常リセットタイマ回路に上述の直流電流が流れ、異常リセットタイマＴ４がセットされる。
また、異常保持回路に上述の直流電流が流れ、異常保持回路の異常保持リレーＲ３及び複製防止ロッド回路に接続された異常保持リレーＲ３が「ＯＮ」となる（接点を閉じる）。その結果、複製防止防止ロッド回路に上述の直流電流が流れ、複製防止ロック機構２０ａ、２０ｂが、複製防止ロッド１９ａ、１９ｂを上述のソレノイドを伸張する方向に動かし、第１のシリンダ錠を解錠することが不可能になる、すなわち、本動作が異常終了することとなる。
さらに、異常保持回路の異常保持リレーＲ３は、異常リセットタイマＴ４がタイムオーバーとなるまで、異常リセットタイマ用リレーＴ４が「ＯＮ」の状態（接点を閉じた状態）であるので、リセットされず「ＯＮ」状態のままとなる。すなわち、異常リセットタイマＴ４がタイムオーバーとなるまで、本不正解錠防止鍵システムを再度解錠することができない。異常リセットタイマＴ４は、再度の不正解錠が行われないようにするために、例えば、数分乃至５分程度とする。受光部１７のフォトトランジスタＰＴＲが発光部１８のＬＥＤの光を受光しなかった場合、ステップ２０４に進む。
ステップ２０４において、第１のシリンダ錠１用の鍵が、鍵穴３０Ａの終端部まで差し込まれると、鍵穴３０Ａの終端部に設けられている鍵到達検出機構２２が「ＯＮ」となる。その結果、鍵到達検出スイッチ２３のＬＳ２が「ＯＮ」となる（接点を閉じる）。
ステップ２０５において、第１のシリンダ錠１用の鍵により、シリンダ枠２５Ａが反時計回りに回転すると、シリンダ枠２５Ａに連動してカム２８も反時計回りに回転する。カム２８は、４５°回転すると、回転検出スイッチ２１に接触し、回転検出スイッチ２１のＬＳ３が「ＯＮ」となる（接点を閉じる）。
ステップ２０６において、ＬＳ２及びＬＳ３の双方が「ＯＮ」となった（接点を閉じた）ことにより、正常保持回路において上述の直流電流が流れる。その結果、正常保持リレーＲ１が「ＯＮ」となり（接点を閉じ）、正常保持回路が自己保持の状態となる（ＬＳ２及びＬＳ３が「ＯＦＦ」となってもＲ２が「ＯＦＦ」にならない限り正常保持回路に電流が流れ続ける）。また、挿入防止ロッド回路及び回転防止ロッド回路に接続された正常保持リレーＲ１が「ＯＮ」となる（接点を閉じる）。
ステップ２０７において、上述の正常保持リレーＲ１が「ＯＮ」になったことにより、不正解錠防止タイマ回路に、上述の直流電流が流れ、不正解錠防止タイマＴ２がセットされる。その結果、不正解錠防止タイマ用リレーＴ２が「ＯＮ」となる（接点を閉じる）。例えば、不正解錠防止タイマＴ２は、５秒間程度に設定されている。また、上述の正常保持リレーＲ１が「ＯＮ」になった（接点を閉じた）ことにより、正常リセットタイマ回路に、上述の直流電流が流れ、正常リセットタイマＴ３がセットされる。本鍵システムの解錠が終了した後も、正常保持リレーＲ１が「ＯＮ」状態のままであるため、正常リセットタイマＴ３は、この状態をリセットするために設けられたタイマである。
ステップ２０８において、挿入防止ロッド回路と回転防止ロッド回路とにおいて、上述の直流電流が流れる。その結果、ロック機構３１が、ソレノイドの作用によって、挿入防止ロッド３２と回転防止ロッド３３を上述のソレノイドを収縮する方向に動かし、挿入防止ロッド３２及び回転防止ロッド３３による第２のシリンダ錠２のロックを開放する。
ステップ２０９において、不正解錠防止タイマＴ２がタイムオーバーになると、挿入防止ロッド回路及び回転防止ロッド回路に接続された不正解錠防止タイマ用リレーＴ２が「ＯＦＦ」となり（接点が開放され）、ロック機構３１が、挿入防止ロッド３２及び回転防止ロッド３３を上述のソレノイドを伸張する方向に動かし、第２のシリンダ錠をロックする。したがって、不正解錠防止タイマＴ２のタイムオーバー後は、第２のシリンダ錠２の解錠を行うことが不可能になり、本動作は異常終了することになる。不正解錠防止タイマＴ２のタイムオーバー前に、第２のシリンダ錠２の解錠を終了した場合、本動作は正常終了することになる。
図９は、上記構成を有する鍵システムの動作を示すタイムチャート図である。まず、第１のシリンダ錠１における動作を制御用回路の動作と共に説明する。
ｎ１秒において、第１のシリンダ錠１用の鍵が第１のシリンダ錠１の鍵穴３０Ａに差し込まれる（「キー入出」状態になる）ことにより、鍵検出スイッチ１６のＬＳ１が「ＯＮ］となる（図７のステップ２０１）。その１秒後のｎ２秒において、検出安定タイマＴ１がセットされ、検出安定タイマ用リレーＴ１が「ＯＮ」になり、発光部１７のＬＥＤが発光する（図７のステップ２０２）。ｎ２秒からｎ３秒の期間、すなわち、Ｔ１が「ＯＮ」状態である期間、この発光は継続する。
また、ｎ１秒において、第１のシリンダ錠１用の鍵が鍵穴３０Ａの終端部まで差し込まれることにより、鍵到達検出スイッチ２３のＬＳ２が「ＯＮ」となる（図７のステップ２０４）。さらに、ｎ２秒において、カム２８が４５°回転することにより、回転検出スイッチ２１のＬＳ３が「ＯＮ」となる（図７のステップ２０５）。
その結果、ｎ２秒において、第２のシリンダ錠２の挿入防止ロッド３２及び回転防止ロッド３３によるロックが開放される（図７のステップ２０８）。また、ｎ２秒において、不正解上防止タイマＴ２が「ＯＮ」となる。第２のシリンダ錠２の挿入防止ロッド３２及び回転防止ロッド３３は、不正解上防止タイマＴ２が「ＯＮ」状態である間、ロックの開放を継続する。
ＬＳ２及びＬＳ３は、ｎ２秒からｎ３秒の期間、すなわち、第１のシリンダ錠１が「キー開動作」状態である期間で［ＯＮ］状態であり、その後「ＯＦＦ」状態になるが、正常保持リレーＲ１の「ＯＮ」状態は、正常リセットタイマＴ３がタイムオーバーになるまで（すなわちｎ７秒まで）、かつ、フォトトランジスタＰＴＲが光を検出しない限り（すなわち異常検出リレーＲ２が「ＯＦＦ」とならない限り）継続する。ｎ２秒からｎ３秒の期間で、異常検出リレーＲ２が「ＯＦＦ」となった場合、異常保持リレーＲ３が「ＯＮ」となり、第１のシリンダ錠１の複製防止ロッド１９ａ、１９ｂがロックする。このロック状態は、異常リセットタイマＴ４がタイムオーバーになるまで継続する。
ｎ４秒において、第２のシリンダ錠２用の鍵が第２のシリンダ錠１の鍵穴に差し込まれ（「キー入出」状態になり）、ｎ５秒において、第２のシリンダの解錠動作が開始され（「キー開動作」状態になり）、ｎ６秒において、第２のシリンダの解錠動作が終了する。
したがって、本実施形態に係る鍵システムの解錠は、ｎ１秒からｎ６秒の間で行われる（第１のシリンダ錠１及び第２のシリンダ錠２の「正常開動作」）。
また、本実施形態に係る鍵システムは、車両の他、屋外販売機のドアや一般建物の扉等に設けることができる。また、本実施形態に係る鍵システムは、シリンダ錠以外の鍵についても適用することができる。
（実施形態２に係る鍵システムの作用・効果）
本実施形態に係る鍵システムによれば、ロック機構３１が、鍵検出スイッチ１６と鍵到着検出スイッチ２３と回転検出スイッチ２１とによる検出結果に応じた制御部１３の指示により、第２のシリンダ錠２の解錠防止を解除する所定期間を制御するため、不正解錠者は、所定期間内に二つの錠を解錠しなくてはならず、合鍵を使用しないで解錠することが困難になる。また、ロック機構３１が、鍵到着検出スイッチ２３の検出結果に応じた制御部１３に指示により、第２のシリンダ錠２の解錠防止を解除するため、不正解錠者が、第１のシリンダ錠１の鍵穴３０Ａの最深部に設けられた鍵到着検出スイッチ２３を「ＯＮ」にしたまま、すなわち、第１のシリンダ錠１の鍵穴３０Ａの最深部に特殊工具等を固定したまま、第１のシリンダ錠１を解錠しなければならず、不正解錠が困難となる。
また、本実施形態に係る鍵システムによれば、ロック機構３１が、受光部１７による検出結果に応じた制御部１３に指示により、第２のシリンダ錠２の解錠防止を解除するため、鍵穴３０Ａ全体をすべて覆う特殊工具を用いなければならず、不正解錠が困難となる。
また、本実施形態に係る鍵システムによれば、複製防止ロック機構２０ａ、２０ｂが、鍵検出スイッチ１６と鍵到着検出スイッチ２３と回転検出スイッチ２１とによる検出結果に応じて、第１のシリンダ錠１の鍵穴３０Ａ内を遮蔽するため、特殊工具を用いた合鍵の複製を防止すると共に、鍵穴３０Ａを通じてこじ開けられたり破壊されたりすることを防止することが可能となる。
また、本実施形態に係る鍵システムによれば、挿入防止ロッド３２と回転防止ロッド３３とが連動するように構成されているため、挿入防止ロッド３２が第２のシリンダ錠２の鍵穴３Ｂへの物体の挿入を拒否しており、回転防止ロッド３３が第２のシリンダ錠２のシリンダ枠２５Ｂの回転を拒否している状態にある場合に、不正解錠者が、特殊工具等を用いて挿入防止ロッド３２を無理やり開けることを困難にする。
産業上の利用可能性
以上説明したように本発明に係る鍵システムによれば、低価格な不正解錠防止用鍵システムを提供することができる。
【図面の簡単な説明】
図１は、本発明の一実施形態に係る鍵システムの全体構成図である。
図２は、建物の扉に設けられた本発明の一実施形態に係る鍵システムを解錠する動作を示すフローチャート図である。
図３は、建物の扉に設けられた本発明の一実施形態に係る鍵システムを解錠する動作を示すタイムチャート図である。
図４は、本発明の一実施形態に係る鍵システムの全体構成図である。
図５は、本発明の一実施形態に係る鍵システムにおける第１のシリンダ錠の横断面図である。
図６は、本発明の一実施形態に係る鍵システムにおける第１のシリンダ錠の縦断面図である。
図７は、車両に設けられた本発明の一実施形態に係る鍵システムを解錠する動作を示すフローチャート図である。
図８は、車両に設けられた本発明の一実施形態に係る鍵システムの制御用回路の構成図である。
図９は、車両に設けられた本発明の一実施形態に係る鍵システムを解錠する動作を示すタイムチャート図である。
【図１】
2002036912.tif 000003
【図２】
2002036912.tif 000004
【図３】
2002036912.tif 000005
【図４】
2002036912.tif 000006
【図５】
2002036912.tif 000007
【図６】
2002036912.tif 000008
【図７】
2002036912.tif 000009
【図８】
2002036912.tif 000010
【図９】
2002036912.tif 000011
【手続補正書】
【提出日】平成14年10月21日(2002.10.21)
【手続補正１】
【補正対象書類名】明細書
【補正対象項目名】請求項１
【補正方法】変更
【補正の内容】
【請求項１】
第１の錠と、
第２の錠と、
前記第２の錠の解錠を防止する解錠防止手段と、
前記第１の錠の解錠動作に応じて、前記解錠防止手段による前記第２の錠の解錠防止を解除する解錠防止解除手段と、
所定期間、前記第２の錠の解錠防止を解除した状態を保持し、前記所定期間経過後、前記解錠防止手段に前記第２の錠の解錠を防止させる解錠防止解除状態保持手段とを具備することを特徴とする鍵システム。
【国際調査報告】
2002036912.tif 000012
2002036912.tif 000013
2002036912.tif 000014